(57)【特許請求の範囲】
【請求項１】
底部及び側周部によって構成されて上面が開口して設けられた貯水槽と、
該貯水槽の上面を覆うように張設され、非透水性で柔軟性のある材質によってシート状に設けられ、シート面の自重で最も垂れ下がる位置となる中央部に通水孔が設けられている集水用シートと、
該集水用シート上に転動自在に置かれて、自重の作用と集水用シートの張力による反作用を受けて常時は前記通水孔の上に位置して該通水孔を塞ぎ、前記集水用シート上に水が溜まった際には浮くことができるようにみかけ比重が水よりも小さく設けられた球体とを具備することを特徴とする雨水集水器。
【請求項２】
前記集水用シートが、前記貯水槽の上面の外側へ拡張できるように設けられていることを特徴とする請求項１記載の雨水集水器。
【請求項３】
前記貯水槽の内部に、前記集水用シートを介して前記球体を受けることができる球体用の受け部が設けられていることを特徴とする請求項１又は２記載の雨水集水器。
【発明の詳細な説明】
【技術分野】
【０００１】
この発明は、簡単・安価な構造で容易に設置可能な雨水集水器に関する。
【背景技術】
【０００２】
シート材を利用した雨水集水器に関し、従来例としては、例えば次の構成を備えるものが提案されている。防水性を有する柔軟な集水部材シートに集水口を片側中央部に配置し、ゴミや枯葉等の異物が集水口に、詰まりの要因となる異物等が入らないように網の目の細かいビニール製網を集水口のシートの上部１／３に縫いつけて結合一体化させている。更に集水シートを張ることによって、集水止めバルブ等の重量によって、撓みが生じて集水勾配ができる構成になっている（特許文献１参照）。これによれば、建物内や郊外等で簡易的に多くの集水が可能で、簡単に持ち運びや移動ができる機能を備えている。
【先行技術文献】
【特許文献】
【０００３】
【特許文献１】実用新案登録第３０９２０２５号公報（第１頁）
【発明の概要】
【発明が解決しようとする課題】
【０００４】
雨水集水器に関して解決しようとする問題点は、従来例の構成では、集水用シートと貯水槽とが別体的に設けられ、配管によって接続されており、より簡単で効果的な構成にはなっていないことにある。
そこで、本発明の目的は、より簡単・安価な構成で、より効果的に集水及び貯水できる雨水集水器を提供することにある。
【課題を解決するための手段】
【０００５】
本発明は、上記目的を達成するために次の構成を備える。
本発明にかかる雨水集水器の一形態によれば、底部及び側周部によって構成されて上面が開口して設けられた貯水槽と、該貯水槽の上面を覆うように張設され、非透水性で柔軟性のある材質によってシート状に設けられ、シート面の自重で最も垂れ下がる位置となる中央部に通水孔が設けられている集水用シートと、該集水用シート上に転動自在に置かれて、自重の作用と集水用シートの張力による反作用を受けて常時は前記通水孔の上に位置して該通水孔を塞ぎ、前記集水用シート上に水が溜まった際には浮くことができるようにみかけ比重が水よりも小さく設けられた球体とを具備する。
【０００６】
また、本発明にかかる雨水集水器の一形態によれば、前記集水用シートが、前記貯水槽の上面の外側へ拡張できるように設けられていることを特徴とすることができる。
【０００７】
また、本発明にかかる雨水集水器の一形態によれば、前記貯水槽の内部に、前記集水用シートを介して前記球体を受けることができる球体用の受け部が設けられていることを特徴とすることができる。
【発明の効果】
【０００８】
本発明の雨水集水器によれば、より簡単・安価な構成で、より効果的に集水及び貯水できるという特別有利な効果を奏する。
【図面の簡単な説明】
【０００９】
【図１】本発明に係る雨水集水器の形態例を示す断面図である。
【発明を実施するための形態】
【００１０】
以下、本発明の雨水集水器に係る形態例を、添付図面（図１）に基づいて詳細に説明する。図１（ａ）は平面図であり、図１（ｂ）は断面図である。この雨水集水器は、貯水槽１０、集水用シート２０、及び球体３０を構成要素としている。
【００１１】
貯水槽１０は、底部及び側周部によって構成されて上面が開口して設けられている。上面全面が大きく開口しており、集水用シート２０の外周が固定され、その集水用シート２０の内部がフリー状態に張られている。本形態例によれば、集水用シート２０が、貯水槽１０の上端周縁（側周部の上端部）に鍔状に設けられたフランジ部１１に固定されていることで張られた状態になっている。固定方法は、例えば集水用シート２０に設けられた多数の鳩目穴２０ａを利用すればよい。なお、貯水槽１０は、破れない適切な強度を備えるものであれば安価な材料で構成すればよく、水平に均された地面１５に設置される。また、１２は蛇口（コック）であり、１３は排水用のドレンバルブである。
【００１２】
集水用シート２０は、貯水槽１０の上面を覆うように張設され、非透水性で柔軟性のある材質によってシート状に設けられ、シート面の自重で最も垂れ下がる位置となる中央部に通水孔２１が設けられている。この集水用シート２０は、雨水を適切に受けて集水するように機能すると共に、貯水された水の蒸発を防止するようにも機能する。
【００１３】
球体３０は、集水用シート２０上に転動自在に置かれて、自重の作用と集水用シート２０の張力による反作用を受けて常時は通水孔２１の上に位置してその通水孔２１を塞ぎ、集水用シート真上に水が溜まった際には浮くことができるようにみかけ比重が水よりも小さく設けられている。この球体３０としては、例えば、木製球、又は中空に設けられたチタンボールやステンレスボールを用いることができる。
【００１４】
この球体３０が、集水用シート２０が漏斗形状やお椀形状（図１（ｂ）参照）になるように、重石となる。これによれば、集水用シート２０を、雨水を適切に受けることができる形状に保持できる共に、その集水用シート２０のバタツキを防止し、騒音の発生を防止できる。なお、球体３０が通水孔２１を塞いでいる際の状態は、シール状態でないとよい。これによれば、僅かな隙間から、集水用シート２０上に受けられた雨水が、貯水槽１０内へ流れ落ちることができる。また、大量の雨が降って、急激に集水用シート２０上に水が溜まった際には、球体３０が浮くことができるため、通水孔２１が大きく開き、雨水が貯水槽１０内へ適性に流れ落ちることができる。さらに、球体３０が、通水孔２１を塞ぐことで、ゴミの進入や蚊などの生物の侵入を防ぐこともできる。このように球体３０は、通水孔２１を自動的に開閉する弁体として作用するため、通水孔２１に係る開閉の管理が不要になる。
【００１５】
このような構成を備える雨水集水器によれば、年間降水量を好適に貯水することができ、蒸発量を極めて小さく抑えることができる。また、地面を平にして簡単な工事で設置でき、最も低コストで製作できる形態となっており、世界中で使用できる。畑、休耕田、空地、ビルの屋上、砂漠等の世界中のあらゆる場所で使用できる。
【００１６】
また、集水用シート２０が、貯水槽１０の上面の外側へ拡張できるように設けられ、延長シート部２２（図１（ｂ）参照）が形成されるようにしてもよい。集水用シート２０を拡張する方法としては、折り畳んであるシート材（延長シート部２２）を開いて延長する方法や、別体のシート材（延長シート部２２）を継ぎ足して延長させる方法を採用することができる。これによれば、雨水を受け止める面積を好適に拡張でき、効率的に雨水を集水できる。なお、延長シート部２２は地面に固定した支柱などで保持すればよい。
【００１７】
また、貯水槽１０の内部に、集水用シート２０を介して球体３０を受けることができる球体用の受け部４０が設けられていてもよい。これによれば、球体３０が常時は球体用の受け部４０によって受けられるため、集水用シート２０が必要以上に伸びることを防止できる。
【００１８】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００１９】
１０  貯水槽
１１  フランジ部
２０  集水用シート
２１  通水孔
２２  延長シート部
３０  球体
４０  球体受け部
【図１】
0005391170.tif 000002